(57)【特許請求の範囲】
【請求項１】
インクカセットに収納されているインクシートのインクを、用紙カセットに収納されている記録紙に転写させるためのサーマルヘッドと、前記記録紙を前記サーマルヘッドへ往復搬送させるための搬送ローラとから構成されるプリンタエンジンと、
プリンタの前記プリンタエンジンの初期化処理を行う初期化手段と、
前記プリンタとデジタルカメラとの接続を判別する判別手段と、
前記判別手段により接続が判別された場合、前記デジタルカメラにおいてプリント指示した画像を前記プリンタにおいて印刷するプリントモードに移行する移行手段とを有し、前記初期化手段は、電源が投入されたことに応じてだけでなく、前記デジタルカメラが接続されたことに応じて、前記プリンタエンジンの初期化処理を実行し、
前記移行手段は、前記デジタルカメラと前記プリンタとの接続に応じて実行された前記プリンタエンジンの初期化処理が終了した後に、前記プリントモードに移行することを特徴とするプリントシステム。
【請求項２】
前記デジタルカメラが接続されたことに応じて、前記デジタルカメラとのネゴシエーション処理を行うネゴシエーション手段を有し、
前記ネゴシエーション手段は、前記初期化手段による前記プリンタエンジンの初期化処理の終了を待って、ネゴシエーション処理を終了させることを特徴とする請求項１に記載のプリントシステム。
【請求項３】
前記初期化手段は、前記デジタルカメラが接続されたことに応じて前記デジタルカメラから受信する初期化指示に応じて、前記プリンタエンジンの初期化処理を実行することを特徴とする請求項１または２に記載のプリントシステム。
【請求項４】
デジタルカメラと接続可能なプリンタであって、
インクカセットに収納されているインクシートのインクを、用紙カセットに収納されている記録紙に転写させるためのサーマルヘッドと、前記記録紙を前記サーマルヘッドへ往復搬送させるための搬送ローラとから構成されるプリンタエンジンと、
前記プリンタエンジンの初期化処理を行う初期化手段と、
前記デジタルカメラとの接続を判別する判別手段と、
前記判別手段により接続が判別された場合、前記デジタルカメラにおいてプリント指示した画像を前記プリンタにおいて印刷するプリントモードに移行する移行手段とを有し、前記初期化手段は、電源が投入されたことに応じてだけでなく、前記デジタルカメラが接続されたことに応じて、前記プリンタエンジンの初期化処理を実行し、
前記移行手段は、前記デジタルカメラとの接続に応じて実行された前記プリンタエンジンの初期化処理が終了した後に、前記プリントモードに移行することを特徴とするプリンタ。
【請求項５】
前記デジタルカメラが接続されたことに応じて、前記デジタルカメラとのネゴシエーション処理を行うネゴシエーション手段を有し、
前記ネゴシエーション手段は、前記初期化手段による前記プリンタエンジンの初期化処理の終了を待って、ネゴシエーション処理を終了させることを特徴とする請求項４に記載のプリンタ。
【請求項６】
前記初期化手段は、前記デジタルカメラが接続されたことに応じて前記デジタルカメラから受信する初期化指示に応じて、前記プリンタエンジンの初期化処理を実行することを特徴とする請求項４または５に記載のプリンタ。
【発明の詳細な説明】
【０００１】
【発明の属する技術分野】
本発明はプリントシステムに関し、より具体的には静止画を記録するスチルカメラやビデオカメラなどによって撮像された電子情報を、コンピューターもしくは、記録媒体を介して装置によってプリント出力するのに好適なプリントシステムに関するものである。
【０００２】
【従来の技術】
従来から印画用紙に感熱型の用紙を用い、主走査方向に配列された複数個の発熱体を選択的に駆動して、用紙を副走査方向に搬送することで、用紙にドットライン状に印画を行うライン熱転写方式のプリンタがある。
【０００３】
近年、入力側としてのデジタルカメラやデジタルビデオカメラ、またはスキャナなどの画像を扱う入力機器の進歩に伴い、プリント手段として、熱転写方式のプリンタ装置も注目されている。
【０００４】
それはインクジェットプリンタが、液滴を飛ばすか飛ばさないか、という2値の選択しかないために、小さな液滴を用紙へ着弾させて、誤差拡散等の手法でみかけの解像度と階調性を得ようとするのに対して、熱転写方式のプリンタの場合には、一つの画素において、制御可能な熱の値を容易に変更できるため、一つの画素に対する階調性が多く取る事が可能になるので、インクジェットプリンタに比べて滑らかで高画質な画像を得ることができるという点が上げられる。またサーマルヘッドの性能や用紙材料の性能も向上したために、仕上がり品位で銀塩写真にも見劣りしない画像プリントを得る事が可能になっており、近年のデジタルカメラの進歩に歩調を合わせるように特に自然画像用のプリンタとして注目されている。
【０００５】
そこでこうしたプリンタ装置とデジタルカメラやデジタルビデオカメラなどの撮影機器を直接的に接続したり、または一体的に構成して、撮影された画像情報をコンピューターなどの画像情報を処理する機器を介すことなくプリントするシステムも登場している。
【０００６】
こうしたシステムによれば、デジタルカメラやデジタルビデオからの画像情報を簡単に写真的なプリントアウトを行うことが可能になり、大変便利である。
【０００７】
これらの一例として、
たとえば、特開平10-243327号公報では画像入力装置と画像出力装置の接続にについて述べられている。
【０００８】
これによれば、画像出力装置と画像入力装置とを接続してなる画像入出力システムであって、前記画像出力装置は、前記画像入力装置からの画像信号を受信して出力すると共に、前記画像入力装置に電力を供給する電源部を有し、前記画像出力装置は、前記画像出力装置に画像データを送信し、かつ前記画像出力装置から電源電力の供給を受けるための接続ケーブルにより前記画像出力装置と接続され、前記画像出力装置から電力供給を受けることの可否を判定する判定手段と、電源部とを有し、前記判定手段により、前記画像出力装置から電力供給を受けられると判定された場合は、前記画像出力装置からの電力を用い、電力供給を受けられないと判定された場合は、前記電源部からの電力を用いるというものである。これによれば画像出力装置から電力の供給が受けられるのでデジタルカメラなどの画像入力装置の電源の残量を気にすることなくプリント出力できるもので非常に効果的である。
【０００９】
また特開平9-65182号公報の複合カメラでは、プリント時の電力省電について述べている。これによれば電子ビューファインダーを有し且つ映像情報を記録媒体へ記録する撮影手段と、映像情報を記録紙へプリント出力するプリント手段とを一体化した複合カメラであって、上記プリント手段が記録紙へ映像情報をプリント出力している間は、上記電子ビューファインダーへ電力を供給するのを停止するよう制御する制御手段を設けたものである。これによればプリント中は電子ビューファインダーへの電力供給をしないので節電に役立つというものであり非常に効果的である。
【００１０】
【発明が解決しようとする課題】
しかしながら、上記従来例ではプリンタ装置や、デジタルカメラなどの画像入力機器とのシステムを構成したときに十分な小型化や、低コスト、高速化、使い勝手等に十分な解決方法を与えるものではなかった。
【００１１】
例えば、デジタルカメラからのプリント指示で印刷を行うため、デジタルカメラはプリンタ装置が接続され、プリント可能である事を認識してからプリント指示を受けなければならない。
【００１２】
ユーザがプリント指示を行いカメラ側からプリントデータを出力したのだが、プリンタが初期化中ですぐにプリントできないという課題があった。
【００１３】
本発明は以上の様な課題を考慮してなされたものであり、プリンタがプリント可能な状態で、プリント指示を行うことができるカメラ、プリンタ、プリントシステム、制御方法、記憶媒体、及びプログラムを提供することを目的とするものである。
【００１４】
【課題を解決するための手段】
上記の目的を達成する為に本発明のプリントシステムは、インクカセットに収納されているインクシートのインクを、用紙カセットに収納されている記録紙に転写させるためのサーマルヘッドと、記録紙をサーマルヘッドへ往復搬送させるための搬送ローラとから構成されるプリンタエンジンと、プリンタのプリンタエンジンの初期化処理を行う初期化手段と、プリンタとデジタルカメラとの接続を判別する判別手段と、
判別手段により接続が判別された場合、デジタルカメラにおいてプリント指示した画像をプリンタにおいて印刷するプリントモードに移行する移行手段とを有し、初期化手段は、電源が投入されたことに応じてだけでなく、デジタルカメラが接続されたことに応じて、プリンタエンジンの初期化処理を実行し、移行手段は、デジタルカメラとプリンタとの接続に応じて実行されたプリンタエンジンの初期化処理が終了した後に、プリントモードに移行することを特徴とする。
【００１６】
【発明の実施の形態】
図１から図４に示す図を用いて本発明の実施の形態について説明する。本プリントシステムは、プリンタ部に昇華型の熱転写記録方式を採用し、電子的な画像の情報を任意なプリント枚数分プリントアウトすることが出来るものである。このプリントシステムについて手順に従って説明する。
【００１７】
（第１の実施の形態）
本発明に係わる通常の熱転写記録装置の一実施形態について、以下、図面を参照して具体的に説明する。
【００１８】
図１は実施形態に係わる記録装置の側面の構成模式図である。まず、記録装置の全体構成について説明すると、装置本体１に記録紙Ｐを積載した用紙カセット２から給紙ローラ３で一枚ずつ分離給送する。この際記録紙Ｐはバネ２０によって付勢された押上げ板２１によって給紙ローラ３に当接している。そして、給紙ローラ３によって搬送された記録紙Ｐは搬送ローラ対４で挟持搬送されて記録部を往復可能にしている。搬送ローラ対４はピンチローラ４２とグリップローラ４１で構成されている。
【００１９】
記録部においては記録紙搬送経路を挟んでプラテンローラ５と記録情報に応じて発熱するサーマルヘッド６が対向しており、インクカセット７に収納される、熱溶融性または熱昇華性インクを塗布したインク層と印画面を保護するために印画面上にオーバーコートされるオーバーコート層をもつインクシート８をサーマルヘッド６によって記録紙Ｐに押圧するとともに、選択的に加熱することにより、記録紙Ｐに所定画像を転写記録し、保護層をオーバーコートする。
【００２０】
上記インクシートは、記録紙Ｐの印画領域を覆ってそのサイズと略等しいサイズでイエロー(Ｙ)、マゼンタ(Ｍ)、シアン(Ｃ)の各インク層とオーバーコート(ＯＰ)層が並べて設けられたものであり、各層ずつ熱転写しては、記録紙Ｐを記録開始位置P1に戻し、記録紙上に、順次重ねて転写される。
【００２１】
このように、記録紙Ｐは搬送ローラ対４により、各色インク及びオーバーコート層の数だけ往復される。
【００２２】
この際、各インク層の印画後の記録紙Ｐは装置本体１前方で反転され、用紙カセット前方部及び下部のガイド部を介して装置本体１の後方へ導紙される。装置前方で反転されるために印画途中の記録紙Ｐが外部に出ることによるスペースの無駄や意図せずに触ってしまったという様なことが無く、設置場所の省スペース化などを可能にしている。
【００２３】
しかも用紙カセット２の下部を紙ガイドとして直接利用していることによって装置本体１の厚さを薄くすることが可能になっていると共に、記録紙Ｐをインクカセット７と用紙カセット２にはさまれた空間を通すことで装置本体１の全高を最小限にとどめることが可能であり小型化を可能にしている。
【００２４】
２５は用紙カセット２の用紙搬送ガイド部である。装置本体１前方から反転されてきた記録紙Ｐを装置本体後方に反転させるガイド部であり、この用紙カセット２に具備することで装置本体１全体の小型化に大きく寄与している。
【００２５】
また２６は用紙カセット２の上面は印画されて排紙された記録紙Ｐのトレイ部分を兼用しており、これも装置本体１の小型化に寄与している。
【００２６】
各インク層の印画終了後に記録紙Ｐは排紙ローラ１、9−1排出ローラ２、9−2へ案内され装置本体１後方から前方に向かって排出され記録動作が終了する。
排出ローラ１は記録紙Ｐの排出動作時のみ圧接する様に構成され、印画中にはストレスがかからないように構成されている。
【００２７】
なお装置本体１には記録紙Ｐのガイド部１５が構成されていて、記録紙Ｐを導紙している。
１６は搬送路切り替えシートであり、記録紙Ｐが給紙された後は記録紙Ｐは排出側の経路に導紙されるようになっている。
【００２８】
また印画用のサーマルヘッド６はヘッドアーム２２に一体的に具備されており、インクカセット７を交換する場合にはインクカセット７の抜き差しに支障ない位置まで退避する。この退避動作はインクカセット７の交換は用紙カセット２を引き抜くと可能になり、この際用紙カセット２の着脱動作に連動してヘッドアーム２２はカム部２２−１によって押さえられている状態から用紙カセット２のカム部２−１が退避していくことで上下する様に構成されている。
【００２９】
通常の熱転写記録装置ではYMC３色を３回面順次で記録する為、各色の記録先端を正確に合致させる制御が必要となる。このためには、図１に示す搬送ローラ対４で記録紙Ｐを離さずしっかり挟持し搬送を行う必要がある。この為、記録紙Ｐの送り方向の端部には記録不可能な余白部が必要となる。これを鑑み、最終的に、容易に、縁のない印画物を得るために、図３に示す様に、記録紙Ｐには、記録開始時搬送ローラ対４でしっかり挟持され記録できない余白部分を後で容易に手で切取り可能な様にミシン目12が設けられる。
【００３０】
本発明は、上記説明したミシン目をもつ記録紙Ｐと熱転写記録装置をもちいて実施され、上記の記録紙に設けられたミシン目領域にはオーバーコートするものとする。
【００３１】
また左下がり斜線で示す領域は印画の領域であり、ミシン目を含む領域を印画する様に制御される。オーバーコートは略印画される領域であり且つ印画される領域よりやや大きく印画される領域を含むように印画する様に制御される。
【００３２】
更に以下に装置に関わる詳しい説明をする。
【００３３】
図１に示す、記録装置１において、搬送ローラ対４は、ピンチローラ42とグリップローラ41からなり、このグリップローラ41は、図示しないステッピングモータの出力軸が減速機構を介してして直結され、このステッピングモータの回転制御により、正逆自在に駆動される。記録紙Ｐは、搬送ローラ対４によりしっかりと挟持され、往復搬送されるもであるから、記録紙Ｐもまた、ステッピングモータの回転制御により、正確に位置制御され、搬送駆動される。いま、一例としてサーマルヘッド６による１ライン分の記録ピッチを85μmとし、記録紙Ｐを１ライン分搬送するためのステッピングモータのステップ数を４ステップとするならば、記録紙Ｐは、ステッピングモータを４ステップで回転制御することにより、１ライン（すなわち85μm）搬送することができる。図４に示した、印画範囲は、搬送方向において144mmであるとすると、1694ライン印画可能であり、記録紙をこの分搬送するためには、ステッピングモータを6776ステップ分回転させればよい。
【００３４】
図１に示す、記録装置１において、給紙ローラ３から給紙ローラ対４を見て、給紙ローラ対４の近傍の位置に、記録紙先端検出センサー10が置かれ、これにより記録紙の先端を検出し、検出後、搬送ローラ対４で挟持できる範囲で所定ラインを送り停止させる。この位置が前述の記録開始時の位置となる。ここからまず最初のYイエローからサーマルヘッドを記録情報に応じて発熱駆動し、各色インクの所定画像を記録し、またはオーバーコート層を転写する。１色が終わると次にこの位置から記録紙を排紙ローラ９のある方向に戻して搬送し、再び所定のライン数を戻し送り、YMC各色及びオーバーコート層転写を４回繰返す。
【００３５】
図１に示す記録装置１において、記録紙先端検出センサー10と、プラテンローラ５とサーマルヘッド６により記録紙Ｐを押圧する位置の距離は、装置内部品配置を考慮し、記録紙上の距離で20mmに設定したがこれに限られるものでは無い。この時、図３に示す印画物は、下記の様に各色インクを転写記録し、またオーバーコート層を転写することにより得られる。
【００３６】
図２のフローチャートにおいて一枚印刷時の色インク転写及びオーバーコートシーケンスを説明する。なお、図２のフローチャートに係わるプログラムは、後述する図５の制御部１１２のＲＯＭに記憶されており、制御部１１２のＣＰＵによって実行される。
【００３７】
Ｓ２０１：使用者による不図示のプリントボタンもしくはデジタルカメラやデジタルビデオカメラからの印画指示入力によってプリント動作を指示する。
Ｓ２０２：装置本体１内部の処理回路１８はプリント指示を実行した機器との通信を開始し、処理回路１８ではプリント指示を実行した機器との間でプリントに必要な諸条件の確認や必要であれば画像情報の印画情報への画像処理を行う。
Ｓ２０３：印画準備が出来たら制御手段１９は給紙ローラ３に連結されたモータを駆動して記録紙Ｐを給紙開始する。
Ｓ２０４：記録紙先端検出後、ステッピングモータを所定ステップ分回転させ、印画を開始する。このとき、印画開始位置は、記録紙先端を基準として、12.465mmとした。
Ｓ２０５：引き続き、ステッピングモータを４ステップ分回転しながら、サーマルヘッドを発熱駆動し１ライン分の印画を行う。全部で6776ステップ分（1694ライン分）回転させ、印画を終了する。この時の印画終了位置は、記録紙先端を基準として、156.455mmとなる。
Ｓ２０６：ついで、停止にいたるまでの減速のため、ステッピングモータを10ライン分（40ステップ分）程回転させ、停止させる。
Ｓ２０７：この状態から、ステッピングモータを逆転駆動し、記録紙Ｐを印画時と逆方向に搬送し、所定のステップ数(6776ステップ-減速分)だけ戻して、更に減速のため、所定のライン数の10ライン分（40ステップ分）程回転させ、停止させる。
Ｓ２０８：上記をYMC３色分、３回程繰返し、所望の印画像を記録紙Ｐに転写記録する。
Ｓ２０９：その後、そして、更に一回印画面保護の為のオーバーコート層を転写する。
Ｓ２１０：その後ステッピングモータを逆転駆動してそのまま排出ローラー３へ導き、排出ローラー３の駆動で用紙を排出して一連の動作を終了させる。
【００３８】
また、上記において、制御手段１９は記録紙Ｐの給紙時に、最初に記録紙先端検出センサ１０で検知した記録紙の先端検出信号をもとに、ステッピングモータのステップ数と記録紙Ｐの搬送時における位置関係をもとに、ステッピングモータの回転駆動のステップ数を、全印画記録時において管理することにより、記録位置管理を行うとしたが、これにかぎらす、各ＹＭＣ色及びオーバーコート層の転写記録時において、記録紙先端部に検出センサーを設けて記録紙の先端検出を行い、その信号を基準として、ステッピングモータの回転駆動のステップ数を管理することにより、記録位置管理を行う構成としても良い。
【００３９】
また、上記において、オーバーコート層の転写は、サーマルヘッドの発熱駆動のON/OFFのみで行う様に記述したが、オーバーコートの転写開始時では、徐々に発熱量を増加させ、また、オーバーコートの転写終了時には、徐々に発熱量を減少させることにより得る様な制御を加える事も可能である。
【００４０】
ここで前述のＳ２０２のプリント指示を実行する機器と、プリンタ装置の通信について更に詳述する。
【００４１】
一例として、今プリント指示を実行するのはデジタルカメラ２９として説明する。
【００４２】
図４はデジタルカメラ２９とプリンタ装置本体１とＵＳＢインターフェースケーブル２７を介して接続する模式図である。
【００４３】
なお、デジタルカメラの表示部１０５には、プリンタと接続し、かつ、プリンタの初期化が終了している状態で、ユーザのプリント指示に応じて即プリント可能な状態を示すプリントモードマーク３０が表示されている。このプリントモードマークが表示されている状態で、プリントボタンをユーザが押下することにより、表示部１０５に表示されている画像のデータをプリンタに送信し、プリントを行う。
【００４４】
図５は、デジタルカメラ２９とプリンタ１とを、ＵＳＢインターフェースにより接続してなるプリントシステムのブロック図である。
【００４５】
図５において、デジタルカメラ２９は、撮像部１０１においてＣＣＤにより撮影信号を得る。撮影されて得られた信号は画像処理部１０２において色変換処理、フィルタ処理等の色画像処理を施され、画像データへと変換される。変換された画像データは、ＣＰＵ、ＲＯＭ、ＲＡＭ等から構成される制御部１０４により記憶部１０３へ記憶される。次に、制御部１０４は、再生モード時には、記憶部１０３から画像データを読み出し、表示制御部１０６を制御して画像データを表示部１０５に表示させる。また制御部１０４は、入力部１０８からのプリント指示に応じて、記憶部１０３に記憶されている画像データをプリンタ用に変換し、変換した画像データをデータＩ／Ｆ部１０７を介してプリンタ１１８に送信する。また、プリンタからはプリンタの認識信号、ステータス等がデータＩ／Ｆ部１０７を介して送られてくる。
【００４６】
プリンタ１は、デジタルカメラ２９やホストコンピュータ３０と通信を行うためのデータＩ／Ｆ部１１１を有する。ＣＰＵ、ＲＯＭ、ＲＡＭ等から構成される制御部１１２は、データＩ／Ｆ部１１１を介して受信した画像データをプリンタエンジンを制御することにより印刷させる。
【００４７】
デジタルカメラ２９は撮影後にデジタルカメラ２９内部のメモリに画像情報が保持されているものとする。メモリはコンパクトフラッシュカードやスマートメデイアといった着脱自由なものが便利である。デジタルカメラ２９のモードを設定して、今任意の画像を再生させるものとする。画像情報の再生はデジタルカメラ２９の具備する液晶表示装置によって随時確認できるので使用者は撮影された好きな画像情報を任意に呼び出すことが可能である。ここでケーブル２７や無線手段によってプリンタ装置本体１と通信可能な状態であると、所定のプリント実行ボタン（図不示）によってデジタルカメラ２９からプリンタ装置へ必要な情報が通信され、プリンタ装置本体１からプリント出力が得られるというものである。デジタルカメラとプリンタ間の通信手段は高速通信を実現できるものが望ましい。本発明のプリントシステムではデジタルカメラで画像選択を行いデジタルカメラからのプリント指示によって印刷を開始する。そのため、デジタルカメラはデジタルカメラとプリンタ装置が接続状況及び、プリンタ装置が印刷可能である事を認識してからプリント指示を受けなければならない。もし、前記した認識動作を行わない場合、印刷できない状況にも係わらず印刷指示を受け付けてしまい、使用者に対して誤解を与える動作をしてしまう。
【００４８】
このような状況を招かないために本発明の第一の実施の形態では、デジタルカメラにプリンタ装置が接続し、プリンタの初期化が終了した後、デジタルカメラがプリントモードへ遷移する。
【００４９】
以下、図６にデジタルカメラとプリンタ装置の接続からデジタルカメラのプリントモードへの遷移の一例を示す。なお、図６のフローチャートに係わるプログラムは、制御部１０４のＲＯＭに記憶されており、制御部１０４のＣＰＵによって実行される。
【００５０】
Ｓ６１：プリンタ装置が接続されたかを監視する。
Ｓ６２：プリンタ装置に対しプリンタ装置がデジタルカメラと通信可能であるか等のネゴシーエーションデータの通信を行う。
Ｓ６３：Ｓ２０５の通信でプリンタ装置と通信制御可能かどうかを判定する。
Ｓ６４：Ｓ６３で通信可能なターゲットプリンタであると判定された場合、プリントモードマーク３０を表示部に表示させ、プリント指示を受け付けるプリントモードへ遷移する。
Ｓ６５：Ｓ６３でプリンタ装置がデジタルカメラと通信できないと判定された場合、エラーメッセージをデジタルカメラの表示部１０５上に表示して使用者に警告する。
【００５１】
上記処理によって、プリンタ装置とデジタルカメラが通信可能であると判定されるまで、プリントモードに移行しないため、デジタルカメラはプリント指示を許可しない。デジタルカメラとプリンタ装置が通信可能である場合、デジタルカメラはプリント指示を許可し図２に示す通り印刷処理を行う。ここでＳ６２で行うネゴシエーションデータの通信に付いて図７を用いて詳述する。なお、図７のフローチャートに係わるプログラムは、制御部１０４のＲＯＭに記憶されており、制御部１０４のＣＰＵによって実行される。
【００５２】
Ｓ７１：デジタルカメラとプリンタ装置が通信可能な状態にあるかをプリンタ装置と通信する事により判定する。デジタルカメラとプリンタ装置が通信可能な状態に無い場合、以後のネゴシエーション処理を行わないでＳ６２を終了し、接続エラーとしてＳ６３を経てＳ６５に至る。
Ｓ７２：Ｓ７１でデジタルカメラとプリンタ装置が通信可能と判定した場合、プリンタ装置固有のモデルナンバー、以後の通信に使用するパケットサイズ等のデータ取得のための通信を行う。ここで取得されたモデルナンバーがデジタルカメラのサポートするターゲットプリンタ装置で無かった場合、デジタルカメラの制御手段は以後のネゴシエーション処理を行わないでＳ６３を経てＳ６５に至る。
Ｓ７３：Ｓ７２で取得されたプリンタ装置のモデルナンバーがターゲットプリンタ装置であった場合、同時に取得しているパケットサイズで以後の通信を行う。デジタルカメラはその通知を改めてプリンタ装置に対して行う。
Ｓ７４：プリンタ装置に対してプリンタ装置の初期化を指示する。
Ｓ７５：プリンタ装置の初期化終了を待ってネゴシエーション処理を終了しＳ６３を経てＳ６４へ至りプリントモードへ遷移する。一定時間内にプリンタ装置の初期化が終了しない場合、タイムアウトとしてネゴシエーション処理を終了しＳ６３を経てＳ６５に至る。
【００５３】
以上説明した様に、本発明の実施の形態によれば、複数の加熱素子がライン状に並んだ加熱手段と、加熱することにより記録紙に転写されるインクを塗布した色インク層と加熱することにより記録紙に印画する熱転写式プリンタをプリント手段に持ち、撮影される被写界の光学像を電子像信号に変換する撮像手段を有するカメラとの接続によるプリントシステムにおいて印刷が可能である事が確認出来るまでカメラはプリントモードに遷移しないので、プリント指示を受け付ける事が無い。
【００５４】
（第２の実施の形態）
次に図８，９を用いて第２の発明の実施の形態を説明する。
【００５５】
第１の発明の実施の形態では、デジタルカメラ側が主体となる例を説明したが、プリンタ側が主体となる例を以下に説明する。
【００５６】
図８はプリンタ側で実施される処理のフローチャートを示し、このフローチャートにかかわるプログラムは制御部１１２のＲＯＭに記憶されており、制御部１１２のＣＰＵによって実行される。
【００５７】
Ｓ８１：まず、プリンタの電源スイッチがオンされた場合に実行され、プリンタの初期化を行う。具体的には、メモリやプリンタエンジンの初期化を含み、さらには、電源オフ時に、紙詰まりで終了しており、紙詰まりの状態である場合、排紙する処理を実行したり、又はユーザに排紙させたりして、印刷可能状態にする処理も含む。
Ｓ８２：カメラと接続したか判別し、接続を検知した場合、Ｓ８３に進む。
Ｓ８３：接続検知後、接続されているカメラがプリンタ装置の想定しているターゲットのカメラであるか否かを判別し、ターゲットのカメラである場合、Ｓ８４に進み、ターゲットでない場合、Ｓ８５に進む。
Ｓ８４：ターゲットのカメラである場合、カメラにプリントモードに移行する命令を送信する。
Ｓ８５：ターゲットカメラでない場合、カメラにエラー通知する。
【００５８】
図９はデジタルカメラ側で実施される処理のフローチャートを示し、このフローチャートにかかわるプログラムは制御部１０４のＲＯＭに記憶されており、制御部１０４のＣＰＵによって実行される。
【００５９】
Ｓ９１：まず、プリンタと接続したか判別し、接続した場合Ｓ９２に進む。
Ｓ９２：接続を検知した場合、プリントモード移行命令を受信したか判別し、プリントモード移行命令を受信した場合、Ｓ９３に進み、エラー通知を受信した場合、Ｓ９４に進む。
Ｓ９３：プリントモード移行命令受信後、プリントモードに移行し、表示部にプリントモードマーク３０を表示し、ユーザによるプリント指示を受付可能な状態にする。
Ｓ９４：エラー通知を受信後、エラー表示を行う。また、エラー表示の替わりにプリントモードマーク３０を表示させず、デジタルカメラの再生モードの表示のままとすることも可能である。
【００６０】
第２の実施の形態により、プリンタの初期化が終了してから、カメラとの接続を判断しているため、デジタルカメラはプリンタの初期化が終了してからプリントモードに移行できる。
【００６１】
なお、本実施の形態では、プリントエンジンは、熱昇華型プリンタで説明したが、インクジェットプリンタ等の形式のプリントエンジンでも実施可能である。
【００６２】
【発明の効果】
以上詳述したように、本発明によれば、プリンタがプリント可能な状態で、プリント指示を行うことができる仕組みを提供できる。
【図面の簡単な説明】
【図１】実施の形態の構成模式図である。
【図２】実施の形態のフローチャート１である。
【図３】実施の形態の用紙の図である。
【図４】実施の形態の結線状態の図である。
【図５】実施の形態のブロック図である。
【図６】第一実施の形態のフローチャート２である。
【図７】第一実施の形態のフローチャート３である。
【図８】第二実施の形態のフローチャート１である。
【図９】第二実施の形態のフローチャート２である。
【符号の説明】
１  装置本体
２  用紙カセット
３  給紙ローラ
４  搬送ローラ対
５  プラテンローラ
６  サーマルヘッド
７  インクカセット
８  インクシート
９−１  排紙ローラ1
９−２  排紙ローラ2
１０  記録紙先端検出センサー
１１  ＳＷ２信号
１２  ミシン目
１３  一時保存画像メモリ手段
１４  印字情報メモリ手段
４―２  ピンチローラ
４―１  グリップローラ
１５  ガイド部
１６  余白部
１７  印画領域
１８  処理回路
１９  制御手段
２０  バネ
２１  押上げ板
２２  ヘッドアーム
２３  ヘッドカバーA
２４  ヘッドカバーB
２５  用紙搬送ガイド部
２６  排紙トレイ部
２７  ケーブル
２９  デジタルカメラ
【図１】
0004652586.tif 000002
【図２】
0004652586.tif 000003
【図３】
0004652586.tif 000004
【図４】
0004652586.tif 000005
【図５】
0004652586.tif 000006
【図６】
0004652586.tif 000007
【図７】
0004652586.tif 000008
【図８】
0004652586.tif 000009
【図９】
0004652586.tif 000010